(57)【要約】【課題】本体をさらに安全に堅固に補強することができ、騒音を減らすことができる。【解決手段】オーブンと、前記オーブンを受容するように形成された本体を備えた製パン機において、前記本体に設けられたベースフレームと、前記ベースフレームの上側に設けられて前記オーブンを受容するオーブン受容部を形成し、前方が開口された本体フレームと；前記本体フレームに装着されて前記本体フレームを補強する補強部材と；を含むことを特徴とする。【選択図】図３
2004329901.tif 000002
【特許請求の範囲】
【請求項１】
オーブンと、前記オーブンを受容するように形成された本体を備えた製パン機において、
前記本体に設けられたベースフレームと、
前記ベースフレームの上側に設けられて前記オーブンを受容するオーブン受容部を形成し、前方が開口された本体フレームと；
前記本体フレームに装着されて前記本体フレームを補強する補強部材と；
を含むことを特徴とする製パン機。
【請求項２】
前記補強部材は、前記オーブンを支持することを特徴とする請求項１に記載の製パン機。
【請求項３】
前記補強部材は、前記本体フレームの両側面及び後面の中で少なくともいずれか一つに結合されることを特徴とする請求項２に記載の製パン機。
【請求項４】
前記補強部材は、前記オーブンの下側を支持することを特徴とする請求項２に記載の製パン機。
【請求項５】
前記本体フレームに前記補強部材と離隔されるように装着される少なくとも一つの補助補強部材をさらに含むことを特徴とする請求項１乃至４の中でいずれか一つに記載の製パン機。
【請求項６】
前記補助補強部材は、前記オーブンの上側に設けられることを特徴とする請求項５に記載の製パン機。
【請求項７】
前記補助補強部材は、前記本体フレームの両側面及び後面の中で少なくとも一つに結合されることを特徴とする請求項５に記載の製パン機。
【発明の詳細な説明】
【技術分野】
【０００１】
本発明は、製パン機に係り、特に、フレームの構造を改善した製パン機に関する。
【背景技術】
【０００２】
一般に、パンとは、小麦粉またはその他の穀物にイスト、水、塩等を加えて捏ねた後、発酵させて焼いたり蒸したりしたことを言い、このようなパンを製造するためにはこのような複雑な工程を経なければならないので、一般人が家庭で直接にパンを製造することはとても難しいことである。
【０００３】
これにより、一般人が容易で簡便にパンを製造することができるように一連の製パン工程を自動に実行することができる製パン機に対する研究及び開発が活発に進行されている。
【０００４】
このような製パンいは、オーブンとオーブンを受容するオーブン受容部及び部品室が形成されている本体と、オーブン受容部の内に相互に所定の離隔をおいて平行に設けられて、正逆回転し、製パン材料が受容されたミックスバッグの両端部が巻き取られる一対の捏ねドラムなどを含み、このような方式を上下捏ね方式という。
【０００５】
以下では、上下捏ね方式の製パン機について説明する。
【０００６】
このような従来の上下捏ね方式の製パン機は、オーブンと、オーブン受容部及び部品室などを形成するフレームを有する本体と、を含む。
【０００７】
フレームは、ベースフレームと、ベースフレームの上側に設けられ、オーブン受容部の受容空間を形成しオーブンが受容されるように前方が開口された本体フレームと、を有する。
【０００８】
このような構成により、従来の製パン機は、オーブン及び捏ねドラムを本体フレームの内側に受容して本体フレームとスクリューなどで締結することにより、容易に装着することができる。
【０００９】
しかし、このような従来の製パン機のフレームは、オーブン及び捏ねドラムを受容し支持することができるようにベースフレームと本体フレームを設けているが、このようなフレームを補強するための手段を設けることにより、製パン機をさらに堅固にすることが好ましい。
【発明の開示】
【発明が解決しようとする課題】
【００１０】
本発明の目的は、本体をさらに堅固に補強することができる製パン機を提供することにある。
【課題を解決するための手段】
【００１１】
前記目的を達成するために本発明によるは、オーブンと、前記オーブンを受容するように形成された本体を備えた製パン機において、前記本体に設けられたベースフレームと、前記ベースフレームの上側に設けられて前記オーブンを受容するオーブン受容部を形成し、前方が開口された本体フレームと；前記本体フレームに装着されて前記本体フレームを補強する補強部材と；を含むことを特徴とする。
【００１２】
ここで、前記補強部材は、前記オーブンを支持することが好ましく、前記補強部材は、前記本体フレームの両側面及び後面の中で少なくともいずれか一つに結合されることが好ましい。また、前記補強部材は、前記オーブンの下側を支持することが好ましい。
【００１３】
前記本体フレームに前記補強部材と離隔されるように装着される少なくとも一つの補助補強部材をさらに含むことが好ましい。
【００１４】
前記補助補強部材は、前記オーブンの上側に設けられ、前記補助補強部材は、前記本体フレームの両側面及び後面の中で少なくとも一つに結合されることが好ましい。
【発明の効果】
【００１５】
上述したように、本発明によれば、本体をさらに安全に堅固に補強することができ、騒音を減らすことができる。
【００１６】
また、オーブンをさらに安全に支持することができる。 
【発明を実施するための最良の形態】
【００１７】
以下、添付した図面を参照して、本発明に対して詳細に説明する。
【００１８】
図１乃至図３に示すように、本発明による製パン機は、オーブン５と、オーブン５を受容するオーブン受容部７及び様々な電子部品などが内臓された部品室８が形成されている本体１と、本体１の前方に設けられてオーブン受容部７の前面開口を開閉するドア３と、オーブン受容部７内に上下方向に平行に離隔されて設けられた一対の捏ねドラム１１と、部品室８の内に設けられて捏ねドラム１１を正逆に回転させるドラム駆動部（図示せず）と、部品室８の前方に設けられて機器の運転を制御したりその運転状態を示す操作パネル１５と、を含む。
【００１９】
本体１は、オーブン受容部７及び部品室８などを形成するためのフレーム２０と、フレーム２０の外部に設けられたフレームカバー１３と、を含む。
【００２０】
オーブン受容部７には、オーブン５が受容され、オーブン５の上側及び下側には、製パン材料が含まれたミックスバッグ（図示せず）の両端部を巻き取る一対の捏ねドラム１１が設けられる。
【００２１】
一対の捏ねドラム１１は、相互に平行に正回転及び逆回転できるように設けられる。また、一対の捏ねドラム１１の間には、ミックスバッグ（図示せず）内で捏ねられる製パン材料が上側に位置した捏ねドラム１１まで移動されないようにする捏ね係止部材１９が設けられている。このような捏ね係止部材１９は、オーブン５の上側に設けられることを好ましい。
【００２２】
オーブン５の内部には、捏ねられた製パン材料を受容することができるように上部が開放された四角筒形状のトレイ１７が設けられる。また、このようなトレイ１７の材質は、耐熱性が優秀なアルミニウムまたはスチールの材質を使用することが好ましい。
【００２３】
ドア３は、本体１の前面開口を選択的に開閉できるようにヒンジ結合される。
【００２４】
フレーム２０は、本体１の下部領域に設けられたベースフレーム２５と、ベースフレーム２５の上側に設けられてオーブン受容部７を形成し、オーブン５が受容されるように前方が開放された本体フレーム２１と、本体フレーム２１に装着されて本体フレーム２１を補強する補強部材３０と、を含む。
【００２５】
ベースフレーム２５は、テーブルのような水平面に安着されるように板形状で設けられ、本体フレーム２１及び本体フレーム２１に装着される電子部品などを支持する役割を果たす。
【００２６】
本体フレーム２１は、オーブン受容部７及び部品室８を形成するようにベースフレーム２５の上側に設けられる。また、本体フレーム２１は、オーブン受容部７の両側面を形成する側面部２１ａと、オーブン受容部７の後面を形成する後面部２１ｂと、オーブン受容部７の上部面を形成する上面部２１ｃと、部品室８の前方に設けられた操作パネル１５を支持する操作パネル支持部２１ｄと、を含む。また、本体フレーム２１は、オーブン受容部７に受容されたオーブン５とネジにより締結されることが好ましい。
【００２７】
補強部材３０は、本体フレーム２１に装着されて本体フレーム２１を補強する。また、補強部材３０は、オーブン５０を支持することが好ましく、本体フレーム２１に受容されたオーブン５の下側に装着されてオーブン５の底面部と接してオーブン５を支持することがさらに好ましい。また、補強部材３０は、板形状で設けられて本体フレーム２１の両側面部２１ａ及び後面部２１ｂの中で少なくとも一つに締結されることが好ましい。また、このような補強部材３０と本体フレーム２１の締結は、スポット溶接により行われることが好ましいが、ネジのような締結手段にて締結することもできる。
【００２８】
これにより、本発明による製パン機は、本体フレーム２１に補強部材を装着することにより、オーブン５から発生される高温の熱と、捏ねドラム１１の回転により発生される振動などに対して本体１をさらに安全に堅固に補強することができ、捏ねドラム１１の回転による振動により発生される騒音を減らすことができる。
【００２９】
また、補強部材３０がオーブンを支持するように設けることにより、オーブン５をさらに安全に支持することができる。
【００３０】
本発明による製パン機は、本体フレーム２１に装着される少なくとも一つの補助補強部材３５をさらに含むことが好ましい。
【００３１】
補助補強部材３５は、本体フレーム２１に受容されたオーブン５の上側に装着されて本体フレーム２１を補強する。また、補助補強部材３５は、補強部材３０のように、板形状に設けられ、本体フレーム２１の両側面部２１ａ及び後面部２１ｂの中で少なくとも一つに締結されることが好ましい。また、このような補助補強部材３５と本体フレーム２１の締結は、スポット溶接により行われることが好ましいが、ネジのような締結手段にて締結することもできる。
【００３２】
これにより、本発明による製パン機は、本体フレーム２１に補助補強部材３５をさらに設けることにより、本体フレーム２１をさらに補強することができる、捏ねドラム１１の回転による騒音を減らすことができる。
【００３３】
また、このような補助補強部材３５は、本体フレーム２１に複数個が設けられることもできる。
【００３４】
このように、本発明による製パン機は、本体に設けられるベースフレームと、ベースフレームの上側に設けられてオーブンを受容するオーブン受容部を形成し、オーブンが受容されるように前方が開口された本体フレームと、本体フレームに装着されて本体フレームを補強する補強部材を含み、本体をさらに安全に堅固に補強することができ、騒音を減らすことができる。
【図面の簡単な説明】
【００３５】
【図１】本発明による製パン機の斜視図である。
【図２】本発明による製パン機のフレームを示す斜視図である。
【図３】図２の製パン機のフレームから補強部材及び補助補強部材が分離された斜視図である。
【符号の説明】
【００３６】
１         本体
３         ドア
５         オーブン
７         オーブン受容部
８         部品室
９         ネジ
１１       捏ねドラム
１３       フレームカバー
１５       操作パネル
１７       トレイ
１９       捏ね係止部材
２０       フレーム
２１       本体フレーム
２５       ベースフレーム
３０       補強部材
３５       補助補強部材
【図１】
2004329901.tif 000003
【図２】
2004329901.tif 000004
【図３】
2004329901.tif 000005